(57)【要約】【課題】  蛍光ランプの交換作業を容易に行える照明器具を提供する。【解決手段】  照明器具１は、下面が開口した器具本体２と、器具本体２内に設けられ蛍光ランプＬが着脱自在に装着されるソケット部３と、ソケット部３と電気的に接続され蛍光ランプＬを点灯させる点灯装置４と、器具本体２の開口部２ａに蛍光ランプＬの軸方向と直交し且つ前記軸方向に所定間隔で複数配置されるルーバ５とを備え、各ルーバ５の端部５ａと、各端部５ａにそれぞれ対向する器具本体２の開口部２ａ側内面との間に、蛍光ランプＬの外形よりも大きい隙間Ｓを有している。【選択図】図１
2006228561.tif 000002
【特許請求の範囲】
【請求項１】
一面が開口した器具本体と、器具本体内に設けられ直管型蛍光ランプが装着されるソケット部と、ソケット部と電気的に接続され直管型蛍光ランプを点灯させる点灯装置と、器具本体の開口部に少なくとも直管型蛍光ランプの軸方向と直交し且つ前記軸方向に所定間隔で複数配置されるルーバとを備え、少なくとも各ルーバの一端部と、該一端部に対向する器具本体の開口側内面との間に、直管型蛍光ランプの外形よりも大きい隙間を設けていることを特徴とする照明器具。
【請求項２】
ソケット部は、直管型蛍光ランプのランプピンが直管型蛍光ランプの軸方向に直交する方向から挿入されるスリットを有し、ランプピンをスリットに挿入した状態で直管型蛍光ランプを所定角度回転させることにより直管型蛍光ランプが装着される一対のソケットから構成され、前記スリットへのランプピンの挿入方向を、ルーバの器具本体の他面と対向する面の沿面方向と略平行する方向に設定していることを特徴とする請求項１に記載の照明器具。
【請求項３】
ルーバは、ソケット部に装着される直管型蛍光ランプの近傍に配置されていることを特徴とする請求項２に記載の照明器具。
【請求項４】
直管型蛍光ランプの軸方向に直交する面内において、ルーバの器具本体の他面と対向する面とソケット部のスリットとの距離を、直管型蛍光ランプの半径と同程度としていることを特徴とする請求項２に記載の照明器具。
【請求項５】
ルーバの器具本体の他面と対向する面の一端部に、直管型蛍光ランプの落下防止用突部を設けていることを特徴とする請求項１乃至４のいずれか１項に記載の照明器具。
【請求項６】
ルーバと器具本体とは、電気的に接続されていることを特徴とする請求項１乃至５のいずれか１項に記載の照明器具。
【請求項７】
器具本体の開口側内面から直管型蛍光ランプのソケット部への装着位置の間には、直管型蛍光ランプに略並行するルーバを設けていないことを特徴とする請求項１乃至６のいずれか１項に記載の照明器具。
【発明の詳細な説明】
【技術分野】
【０００１】
本発明は、直管型蛍光ランプを用いる照明器具に関する。
【背景技術】
【０００２】
従来から、直管型蛍光ランプ等の蛍光ランプを用いた照明器具に、蛍光ランプのグレア（眩しさ）の低減や、蛍光ランプを直視した際の視覚低下を防止するために、ルーバを設けることが行われている。
【０００３】
このような照明器具としては、下面が開口した器具本体と、器具本体内に設けられ蛍光ランプが装着されるソケット部と、ソケット部と電気的に接続され蛍光ランプを点灯させる点灯装置と、蛍光ランプの光を器具本体の下面側へ反射する反射板と、反射板に固定されて器具本体の開口部に蛍光ランプの軸方向に直交し且つ蛍光ランプの軸方向に所定間隔で複数配置されるルーバとを備えたものが提供されている。
【０００４】
一方、ルーバを反射板に固定するのではなく、蛍光ランプの軸方向を回転軸方向として、ルーバを反射板に回動自在に支持させている照明器具が提供されている（特許文献１）。
【特許文献１】特開２００４−１７２０３１号公報（第３図）
【発明の開示】
【発明が解決しようとする課題】
【０００５】
ところで、上述した前者の照明器具では、蛍光ランプを交換したい場合にルーバを反射板から取り外す作業を行わなければならず、このようなルーバの取り外し作業が非常に面倒であるため、蛍光ランプの交換作業の作業性が非常に悪かった。
【０００６】
上述の後者の照明器具では、ルーバを反射板に回動自在に支持させているので、ルーバを下方へ回転させれば、蛍光ランプを交換することができていた。しかしながら、回動自在に設けたルーバを所定位置に配置するために別途ストッパが設けられているので、蛍光ランプを交換する際には、ストッパを外した後に、ルーバを回動させるという作業が必要になり、そのため交換作業の作業性改善が不十分であった。
【０００７】
本発明は上述の点に鑑みて為されたもので、その目的は、蛍光ランプの交換作業を容易に行える照明器具を提供することである。
【課題を解決するための手段】
【０００８】
上記の課題を解決するために、請求項１の照明器具では、一面が開口した器具本体と、器具本体内に設けられ直管型蛍光ランプが装着されるソケット部と、ソケット部と電気的に接続され直管型蛍光ランプを点灯させる点灯装置と、器具本体の開口部に少なくとも直管型蛍光ランプの軸方向と直交し且つ前記軸方向に所定間隔で複数配置されるルーバとを備え、少なくとも各ルーバの一端部と、該一端部に対向する器具本体の開口側内面との間に、直管型蛍光ランプの外形よりも大きい隙間を設けていることを特徴とする。
【０００９】
請求項１の発明によれば、ルーバと器具本体の開口側内面との間に設けた隙間を介して直管型蛍光ランプを器具本体に挿入、或いは器具本体から取り出すことができるので、直管型蛍光ランプの交換時にルーバの取り外し作業等が一切必要なくなり、これにより、直管型蛍光ランプの交換作業を容易に行うことができる。
【００１０】
請求項２の照明器具では、請求項１の構成に加えて、ソケット部は、直管型蛍光ランプのランプピンが直管型蛍光ランプの軸方向に直交する方向から挿入されるスリットを有し、ランプピンをスリットに挿入した状態で直管型蛍光ランプを所定角度回転させることにより直管型蛍光ランプが装着される一対のソケットから構成され、前記スリットへのランプピンの挿入方向を、ルーバの器具本体の他面と対向する面の沿面方向と略平行する方向に設定していることを特徴とする。
【００１１】
請求項２の発明によれば、器具本体内に挿入した直管型蛍光ランプをソケット部に向けて移動させる方向と、ソケットのスリットへの直管型蛍光ランプの挿入方向とが略平行する方向としているので、直管型蛍光ランプをソケット部へ移動させてスリットへ挿入し、この後に直管型蛍光ランプを所定角度回転させるだけで直管型蛍光ランプのソケット部への装着を行えるようになり、これと逆の作業を行えば容易に取り外しも行えるから、直管型蛍光ランプの交換作業がさらに容易に行えるようになる。
【００１２】
請求項３の照明器具では、請求項２の構成に加えて、ルーバは、ソケット部に装着される直管型蛍光ランプの近傍に配置されていることを特徴とする。
【００１３】
請求項３の発明によれば、直管型蛍光ランプをソケット部から取り外す際に過度に力を加えてしまっても、直管型蛍光ランプがすぐにルーバと接触するので、直管型蛍光ランプがルーバに衝突する危険性を低減でき、そのため、直管型蛍光ランプとルーバの衝突による直管型蛍光ランプの破損を防止することができる。
【００１４】
請求項４の照明器具では、請求項２の構成に加えて、直管型蛍光ランプの軸方向に直交する面内において、ルーバの器具本体の他面と対向する面とソケット部のスリットとの距離を、直管型蛍光ランプの半径と同程度としていることを特徴とする。
【００１５】
請求項４の発明によれば、器具本体内に挿入した直管型蛍光ランプをルーバに沿って移動させていけば、自動的に直管型蛍光ランプのランプピンがソケットのスリットに挿入されることになるので、直管型蛍光ランプの交換作業をさらに容易に行うことができるようになる。
【００１６】
請求項５の照明器具では、請求項１乃至４のいずれか１項の構成に加えて、ルーバの器具本体の他面と対向する面の一端部に、直管型蛍光ランプの落下防止用突部を設けていることを特徴とする。
【００１７】
請求項５の発明によれば、器具本体内において不意に直管型蛍光ランプをルーバ上に落としてしまっても、落下防止用突部により直管型蛍光ランプが器具本体内から落下することを防止でき、しかも、交換作業時に直管型蛍光ランプをルーバに仮置きすることができるようになる。
【００１８】
請求項６の照明器具では、請求項１乃至５のいずれか１項の構成に加えて、ルーバと器具本体とは、電気的に接続されていることを特徴とする。
【００１９】
請求項６の発明によれば、器具本体によりルーバの接地を行うことができる。
【００２０】
請求項７の照明器具では、請求項１乃至６のいずれか１項の構成に加えて、器具本体の開口側内面から直管型蛍光ランプのソケット部への装着位置の間には、直管型蛍光ランプに略並行するルーバを設けていないことを特徴とする。
【００２１】
請求項７の発明によれば、器具本体内で直管型蛍光ランプをソケット部側へ移動させる際に、ルーバが邪魔にならないようにすることができ、これにより、直管型蛍光ランプの交換作業の作業性を向上できる。
【発明の効果】
【００２２】
本発明は、直管型蛍光ランプの交換時にルーバの取り外し作業等が一切必要なくなるので、直管型蛍光ランプの交換作業を容易に行うことができるという効果がある。
【発明を実施するための最良の形態】
【００２３】
以下に、図１〜４を参照して本発明の実施形態について説明する。
【００２４】
（実施形態１）
本実施形態の照明器具１は、たとえば図１に示すように、天井ＣＢに埋め込み設置されるものであり、下面（一面）が開口した器具本体２と、器具本体２内に設けられ蛍光ランプＬが着脱自在に装着されるソケット部３と、リード線６によりソケット部３と電気的に接続され蛍光ランプＬを点灯させる点灯装置４と、器具本体２の開口部２ａに蛍光ランプＬの軸方向（つまりは、器具本体２の長手方向）と直交し且つ前記軸方向に所定間隔で複数（本実施形態では８つ）配置されるルーバ５とを備え、各ルーバ５の端部５ａと、各端部５ａにそれぞれ対向する器具本体２の開口部２ａ側内面との間に、蛍光ランプＬの外形よりも大きい隙間Ｓを有しているものである。
【００２５】
ここで、本実施形態の照明器具１に使用する蛍光ランプＬは、いわゆる直管型蛍光ランプであり、内周面に蛍光物質が塗布されたガラス管と、ガラス管の両端に設けられた口金とを備え、ガラス管内には水銀及び希ガス等が封入されており、口金には直径方向に一対のランプピンＰ，Ｐが貫設されて、これらランプピンＰ，Ｐはガラス管内でフィラメントにより電気的に接続されているものである。
【００２６】
器具本体２は、図２に示すように、アルミ材等から下面が開口した長尺の箱状に形成されている。さらに詳しく説明すると、器具本体２は、図１に示すように、短手方向の断面形状が略弓状の反射部２０と、反射部２０の長手方向両端部をそれぞれ閉塞する側壁部２１と、反射部２０及び側壁部２１の下端縁から外方へ突設された枠部２２とを一体に備え、枠部２２で囲まれる空間部が器具本体２の開口部２ａとなっている。また、器具本体２の内面は反射材（図示せず）で塗装されており、これにより蛍光ランプＬからの光を下方へ反射する反射面が形成されている。
【００２７】
また、反射部２０には、器具本体２の長手方向の強度を確保するために、図１に示すように、短手方向で断面形状が略Ｖ字状となるように折り曲げられており、これにより一対の補強部２０ａ，２０ａを備えている。また、反射部２０の短手方向の中央部には取付ねじ９０が挿通されるねじ挿通孔（図示せず）が形成され、一端側（右端側）には反射板７を取り付ける取付ねじ９１がねじ止めされるねじ孔（図示せず）が形成され、他端側（左端側）には反射板７を係止する係止部２０ｂが形成されている。ところで、取付ねじ９１としては、ねじ部９１ａが突出するねじ頭９１ｂの面に、複数の突起（図示せず）を備えた、いわゆる突起付きねじを用いている。
【００２８】
一方、補強部２０ａは、長手方向両端部がそれぞれ対向する側壁部２１から離間するとともに、その端部にリード線６を挿通するための切欠（図示せず）が形成されており、この切欠の縁部は挿通させたリード線６を抜け止めするために先尖に形成されている。そして、側壁部２１には、上記切欠にそれぞれ対応して逃げ孔２１ａが形成されており、この逃げ孔２１ａを利用することによりリード線６を上記切欠に挿通し易くしている。
【００２９】
以上により構成されている器具本体２には、図１に示すように、上方からカバー８が被着される。カバー８は、下面が開口した箱状のものであり、上記取付ねじ９０，９１にそれぞれ対応した挿通孔を備えている。
【００３０】
そして、器具本体２には、反射板７、ソケット部３、点灯装置４、及びルーバ５が取り付けられる。
【００３１】
反射板７は、図１，２に示すように、たとえば長尺状のアルミ板から曲成されて、短手方向の断面形状が略Ｖ字状の反射部７０と、反射部７０の短手方向両端部からそれぞれ突出された平板状の取付部７１，７２とを一体に備えた、いわゆるＶ型反射板である。また、反射板７の下面は反射材（図示せず）で塗装されて蛍光ランプＬからの光を下方へ反射する反射面が形成されている。このような反射板７の長手方向両端部には、図２に示すように、リード線６を挿通するための切欠部７３が形成され、短手方向中央部にはルーバ５が短手方向に貫挿される取付孔（図示せず）が長手方向に所定間隔で複数（本実施形態では８つ）形成されている。さらに、一方（右方）の取付部７１には、取付ねじ９１が挿通されるねじ挿通孔（図示せず）が形成され、他方（左方）の取付部７２には、器具本体２の係止部２０ｂに係止される係止爪７２ａが形成されている。
【００３２】
ソケット部３は、上述したような直管型蛍光ランプが装着されるものであり、図２に示すように、器具本体２の長手方向に対向するように両側壁部２１，２１にそれぞれ配置される一対のソケット３０からなる。ここで、ソケット３０は、図１に示すように、たとえば蛍光ランプＬのランプピンＰ，Ｐが蛍光ランプＬの軸方向に直交する方向から挿入されるスリット３０ａを有し、ランプピンＰ，Ｐをスリット３０ａに挿入した状態で、軸方向を回転軸として蛍光ランプＬを所定角度（たとえば９０度）回転させることにより蛍光ランプＬが電気的、機械的に接続（装着）される、いわゆる回転式のソケットである。
【００３３】
点灯装置（安定器）４は、蛍光ランプＬを点灯させる点灯回路ブロック（図示せず）を筐体４０内に収納して構成され、筐体４０には取付ねじ９０が螺入されるねじ孔（図示せず）が形成されている。点灯回路ブロックは、たとえば交流電源である商用電源等の外部電源を蛍光ランプＬの点灯に適した高周波交流電源に変換して出力する点灯回路を備えるものであり、ソケット部３の各ソケット３０，３０にリード線６，６により電気的に接続されるとともに、たとえば器具本体２内に引き込まれた外部電源の電源線（図示せず）が電気的に接続されている。
【００３４】
ルーバ５は、たとえば図１に示すように、矩形の平板状に形成されており、端部５ａの上面部は、面取りされてテーパ状に形成されている。このルーバ５の長手方向中央部には、ルーバ５を反射板７に支持させるための棒状の支持部材５０が嵌入される支持孔５ｂが形成されている。この支持部材５０は導電性のものが用いられ、ルーバ５と反射板７とが電気的に接触するようにしている。
【００３５】
また、ルーバ５の長手方向の長さ寸法は、ルーバ５を器具本体２の開口部２ａに配置した際に、ルーバ５の端部５ａと、各端部５ａにそれぞれ対向する器具本体２の開口部２ａ側内面との距離Ｄ１が、蛍光ランプＬの直径Ｄ２よりも大きくなるような大きさに設定している。これにより、ルーバ５の端部５ａと、各端部５ａにそれぞれ対向する器具本体２の開口部２ａ側内面との間に、蛍光ランプＬの外形よりも大きい隙間Ｓが設けられることになる。加えて、ルーバ５の厚み（上下方向の長さ寸法）或いはその配置位置は、ルーバ５を器具本体２に取り付けた際に、器具本体２の長手方向（つまりは、蛍光ランプＬの軸方向）に直交する面内において、ルーバ５の上面とスリット３０ａのピンＰ，Ｐが挿入される側の端部との距離ｄが、蛍光ランプＬの半径ｒと同程度となるように設定している。
【００３６】
上記部材により照明器具１は構成されており、各部材は次のようにして取り付けられている。器具本体２には、図２に示すように、ソケット３０が器具本体２の長手方向に対向し、且つ、ソケット３０のスリット３０ａへの蛍光ランプＬのランプピンＰ，Ｐの挿入方向が、器具本体２の内面（他面）と対向するルーバ５の面（つまりは、ルーバ５の上面）の沿面方向と略平行する方向となるようにして、両側壁部２１，２１にそれぞれ配置されている。また、外部電源の電源線と接続された点灯装置４が取付ねじ９０を用いて器具本体２に取り付けられており、これら点灯装置４とソケット３０とは、補強部２０ａの上記切欠を挿通したリード線６により電気的に接続されている。尚、図２ではリード線６及び係止部２０ｂは省略している。
【００３７】
ルーバ５は、反射板７の取付孔を貫挿した状態で、ルーバ５の支持孔５ｂに支持部材５０を嵌入することにより、反射板７と電気的に接続された状態で反射板７に取り付けられている。このようにルーバ５が取り付けられた反射板７は、切欠部７３にリード線６を通すとともに反射部７０で点灯装置４を覆い、他方の取付部７２の係止爪７２ａを器具本体２の係止部２０ｂに係止させ、一方の取付部７１のねじ挿通孔を器具本体２のねじ孔に連通させた状態で、取付ねじ９１により器具本体２に固定されている。このとき、取付ねじ９１として上述の突起付きねじを用いているので、反射板７は、取付ねじ９１の複数の突起により反射板７下面の反射材による塗装が削られて、該突起が反射板７に食い込んだ状態で固定されることになる。したがって、反射板７は取付ねじ９１を介して器具本体２に電気的に接続されることになり、結果として、ルーバ５と器具本体２とが反射板７を介して電気的に接続される。そして、このようにルーバ５が器具本体２に電気的に接続されることによって、ルーバ５が接地されるのである。
【００３８】
以上により、図１，２に示す照明器具１が得られ、この照明器具１では、ルーバ５が蛍光ランプＬの軸方向と直交し且つ前記軸方向に所定間隔で配置されている。また、この照明器具１では、器具本体２の長手方向（つまりは、蛍光ランプＬの軸方向）に直交する面内において、ルーバ５の上面とスリット３０ａのランプピンＰ，Ｐが挿入される側の端部との距離ｄが、蛍光ランプＬの半径ｒと同程度となるようになっている。
【００３９】
次に、照明器具１への蛍光ランプＬの着脱方法について説明する。まず、蛍光ランプＬを取り付ける際には、図３に示すように、蛍光ランプＬを隙間Ｓから器具本体２内に挿入し、ランプピンＰ，Ｐが蛍光ランプＬの移動方向に並ぶように蛍光ランプＬをルーバ５の上面に載置する。このとき、ルーバ５の端部５ａの上面部を面取りしてテーパ状にしているので、蛍光ランプＬがルーバ５に当たって破損することを防止することができ、さらに、蛍光ランプＬの器具本体２内への出し入れを容易に行えるようになっている。
【００４０】
この後に、蛍光ランプＬをルーバ５の上面に沿ってソケット部３側へ平行移動（つまりは、ランプピンＰ，Ｐのルーバ５の上面からの高さ位置を変えないように移動）させる。そして、蛍光ランプＬのランプピンＰ，Ｐをソケット３０のスリット３０ａに挿入し、この状態で蛍光ランプＬを所定角度回転させることで蛍光ランプＬがソケット部３に電気的、機械的に接続され、これにより、蛍光ランプＬが照明器具１に取り付けられる。
【００４１】
一方、蛍光ランプＬを取り外す際には、上記の手順を逆に行えばよいから、同様に、ルーバ５を器具本体２から取り外すことなく蛍光ランプＬの取り外しを行うことができる。このとき、各ルーバ５間に手を差し込める程度の間隔でルーバ５を配置しておけば、蛍光ランプＬを手で把持してソケット部３へ装着でき、これにより専用の取付具等を用いなくて済むようになる。
【００４２】
つまり、本実施形態の照明器具１によれば、ルーバ５と器具本体２の開口部２ａ側内面との間に設けた隙間Ｓから蛍光ランプＬを器具本体２に挿入、或いは器具本体２から取り出すことができるので、蛍光ランプＬの交換時にルーバ５の取り外し作業等が一切必要なくなり、これにより、蛍光ランプＬの交換作業を容易に行えるようになるのである。しかも、上述したように蛍光ランプＬの交換作業時にルーバ５を器具本体２から取り外さなくて済むので、ルーバ５が常に接地された状態に保たれており、そのため蛍光ランプＬの交換の際に、随時ルーバ５の接地用の配線等をする必要なくなるのである。また、この隙間Ｓの大きさは、蛍光ランプＬを器具本体２内に出し入れできる程度の大きさがあればよく、ルーバ５の本来の目的である蛍光ランプＬのグレアの低減等の機能が低下しない程度の大きさにすることが好ましい。
【００４３】
さらに、ソケット３０のスリット３０ａへの蛍光ランプＬのランプピンＰ，Ｐの挿入方向を、ルーバ５の上面の沿面方向、すなわち蛍光ランプＬをソケット部３に向けて移動させる方向と略平行する方向としているので、蛍光ランプＬをソケット部３側へ移動させていけば、そのまま蛍光ランプＬをソケット部３のスリット３０ａに挿入することができるようになっている。しかも、器具本体２の長手方向（つまりは、蛍光ランプＬの軸方向）に直交する面内において、ルーバ５の上面とスリット３０ａのランプピンＰ，Ｐが挿入される側の端部との距離ｄを、蛍光ランプＬの半径ｒと同程度としているから、ルーバ５が蛍光ランプＬをソケット部３に導くガイドとなる。したがって、ルーバ５に沿って蛍光ランプＬを移動させれば、自動的に蛍光ランプＬのランプピンＰ，Ｐがソケット３０のスリット３０ａに挿入されることになる。これにより、従来のように蛍光ランプＬのランプピンＰ，Ｐ近傍を持って蛍光ランプＬとソケット部３とを位置合わせし、ランプピンＰ，Ｐを片側ずつソケット３０のスリット３０ａに挿入する作業をしなくて済み、しかも片手で蛍光ランプＬの交換作業を行えるようになるから、蛍光ランプＬの交換作業の作業性がさらに向上するのである。加えて、ルーバ５が蛍光ランプＬの近傍に位置しているから、蛍光ランプＬをソケット部３から取り外す際に過度に力を加えてしまっても、ソケット部３から外れた蛍光ランプＬは直ちにルーバ５と接触するので、蛍光ランプＬがルーバ５に衝突する危険性を低減でき、これによって蛍光ランプＬとルーバ５の衝突による蛍光ランプＬの破損を防止することができる。
【００４４】
一方、照明器具１に用いるルーバは、本実施形態のように所定間隔で並行配置されるものに限られるものではなく、格子状のルーバを用いることができるが、この場合、隙間Ｓからソケット部３に対する蛍光ランプＬの装着位置の間に、蛍光ランプＬの軸方向と並行するようなルーバを設けないようにすれば、器具本体２内で蛍光ランプＬを移動させる際に、ルーバが邪魔にならないようにすることができ、これにより、蛍光ランプＬの交換作業の作業性を向上することができる。
【００４５】
（実施形態２）
ところで、上記実施形態１の照明器具１では、蛍光ランプＬの交換作業時に不注意から蛍光ランプＬを落としてしまった際には、蛍光ランプＬがルーバ５上を転がって、ルーバ５の端部５ａから、隙間Ｓを通って落下してしまうという問題があった。
【００４６】
そこで、本実施形態の照明器具１は、この問題を解決する手段として、図４に示すように、ルーバ５の端部５ａの上面に、略台形状の落下防止用突部５ｃを設けてあり、これにより蛍光ランプＬの落下防止が図られている。尚、本実施形態のその他の構成は上記実施形態１と同様であるので、同様の構成については同一の符号を付して説明を省略する。
【００４７】
この本実施形態の照明器具１によれば、器具本体２内において不意に蛍光ランプＬを落としてしまっても、ルーバ５に落下防止用突部５ｃを設けていることによって、蛍光ランプＬがルーバ５上を転がって端部５ａから、隙間Ｓを通って落下してしまうことを防止することができ、しかも、蛍光ランプＬの交換作業時にルーバ５を蛍光ランプＬの仮置き場所としても利用することができるようになる。
【００４８】
尚、落下防止用突部５ｃの形状は上記の略台形状のものに限られるものではなく、状況に応じて好適な形状とすることができる。
【図面の簡単な説明】
【００４９】
【図１】本発明の実施形態１の照明器具の要部の概略断面図である。
【図２】同上の照明器具の下面図である。
【図３】同上の照明器具の要部の概略断面図である。
【図４】本発明の実施形態２の照明器具の要部の概略断面図である。
【符号の説明】
【００５０】
１    照明器具
２    器具本体
２ａ  開口部
３    ソケット部
４    点灯装置
５    ルーバ
５ａ  端部
Ｓ    隙間
Ｌ    蛍光ランプ
【図１】
2006228561.tif 000003
【図２】
2006228561.tif 000004
【図３】
2006228561.tif 000005
【図４】
2006228561.tif 000006